(57)【要約】【課題】  観察方向を変えると、異なる視覚的効果を得ることができるイルミネーション装置及び電子機器を提供すること。【解決手段】  光を所定の放射角で出射する点光源２と、該点光源２を光入射面である端面３ａに配し点光源２から入射され導光した光を光路変換して主面側から面状に出射する導光板３と、を備え、該導光板３に、点光源２からの光の入射方向に対して交差する方向に延在する互いに平行な複数の稜線を有するプリズム部３ｂが主面の反対面に形成されている。【選択図】  図１
2011113695.tif 000002
【特許請求の範囲】
【請求項１】
光を所定の放射角で出射する点光源と、
該点光源を光入射面である端面に配し前記点光源から入射され導光した光を光路変換して主面側から面状に出射する導光板と、を備え、
該導光板に、前記点光源からの光の入射方向に対して交差する方向に延在する複数の稜線を有するプリズム部又はレンチキュラーレンズ部が前記主面および該主面の反対面の少なくとも一方に形成されていることを特徴とするイルミネーション装置。
【請求項２】
請求項１に記載のイルミネーション装置において、
前記プリズム部又は前記レンチキュラーレンズ部の複数の稜線が、互いに平行であることを特徴とするイルミネーション装置。
【請求項３】
請求項１又は２に記載のイルミネーション装置において、
前記プリズム部又は前記レンチキュラーレンズ部の中に、他の部分と反射特性が異なる反射変化部が形成されていることを特徴とするイルミネーション装置。
【請求項４】
請求項１から３のいずれか一項に記載のイルミネーション装置において、
前記導光板に、互いに異なる方向に稜線が延在する２種類以上の前記プリズム部又は前記レンチキュラーレンズ部が形成されていることを特徴とするイルミネーション装置。
【請求項５】
請求項１から３のいずれか一項に記載のイルミネーション装置において、
前記導光板が、複数枚積層され、
前記プリズム部又は前記レンチキュラーレンズ部が、前記導光板毎に互いに異なる方向に稜線が延在していることを特徴とするイルミネーション装置。
【請求項６】
請求項１から５のいずれか一項に記載のイルミネーション装置において、
前記点光源が、赤色ＬＥＤ素子、緑色ＬＥＤ素子及び青色ＬＥＤ素子の少なくとも一つを備えたＬＥＤであることを特徴とするイルミネーション装置。
【請求項７】
請求項１から６のいずれか一項に記載のイルミネーション装置を備えていることを特徴とする電子機器。
【発明の詳細な説明】
【技術分野】
【０００１】
本発明は、例えば携帯電話機の背面イルミネーション等の視覚的効果を向上させることができるイルミネーション装置及び電子機器に関する。
【背景技術】
【０００２】
携帯電話機等では、折り畳み可能な筐体を備えたものが多い。このような携帯電話機では、筐体の内側に設けられたメインの液晶表示装置だけでなく、筐体の外側にもデザイン性向上や遊び用途等のため、ＬＥＤ光源や液晶表示パネル又は有機ＥＬパネル等の簡易的なディスプレイ装置又はイルミネーション装置が搭載されて背面照明や情報表示等を行う機器が普及している。
【０００３】
従来、例えば特許文献１には、筐体の外側であって光源と導光板とからなる面発光部材上に、一部が透明又は半透明なパネル部材が着脱可能に装着された二つ折り型の携帯端末装置が提案されている。この携帯端末装置では、面発光部上に設置されたパネル部材を面発光部で照明することで、該パネル部材に施された透明又は半透明な図柄が発光表示されるものである。
【０００４】
また、特許文献２には、筐体の開口に対向して配された基板と、該基板に取り付けられたＬＥＤ光源と、該ＬＥＤ光源に隣接させた導光板と、を備えた筐体発光構造が提案されている。この筐体発光構造では、携帯情報端末装置の筐体であるケースに設けられたイルミネーション発光窓に導光板が面しており、ＬＥＤ光源からの光を導光させると共に導光板上方に出射させている。
【先行技術文献】
【特許文献】
【０００５】
【特許文献１】特開２００４−８０３９０号公報
【特許文献２】特開２００７−６８００４号公報
【発明の概要】
【発明が解決しようとする課題】
【０００６】
しかしながら、上記従来の技術には、以下の課題が残されている。
上記従来の技術では、いずれも光源からの光を導光させて導光板の表面全体から光を出射させているが、どの方向から見ても同様に表面全体が光っているため、観察方向に応じた視覚的効果に変化がなく、画一的なイルミネーション効果しか得ることができないという不都合があった。また、近年、特に携帯電話機等の背面イルミネーションについて、より多彩な視覚的効果を用いてさらにデザイン性を向上させることが要望されている。
【０００７】
本発明は、前述の課題に鑑みてなされたもので、観察方向を変えると、異なる視覚的効果を得ることができるイルミネーション装置及び電子機器を提供することを目的とする。
【課題を解決するための手段】
【０００８】
本発明は、前記課題を解決するために以下の構成を採用した。すなわち、本発明のイルミネーション装置は、光を所定の放射角で出射する点光源と、該点光源を光入射面である端面に配し前記点光源から入射され導光した光を光路変換して主面側から面状に出射する導光板と、を備え、該導光板に、前記点光源からの光の入射方向に対して交差する方向に延在する複数の稜線を有するプリズム部又はレンチキュラーレンズ部が前記主面および該主面の反対面の少なくとも一方に形成されていることを特徴とする。
【０００９】
このイルミネーション装置では、導光板に、点光源からの光の入射方向に対して交差する方向に延在する複数の稜線を有するプリズム部又はレンチキュラーレンズ部が前記主面および該主面の反対面の少なくとも一方に形成されているので、点光源から導光板に入射される光がプリズム部又はレンチキュラーレンズ部で反射されて主面から出射されるが、その出射方向が、点光源からの光の放射方向若しくは導光方向に応じて異なる。このため、導光板の主面に対して観察方向が異なると、この観察方向へ反射される光が一定の放射方向の光だけであるため、観察者からは主面上に一定の放射方向に延在する光線のみが見えることになる。したがって、観察方向に応じて主面で観察される光線の方向が異なり、観察方向を変えると、異なる視覚効果を得ることができる。特に、主面の正面方向から観察したときに点光源の正面が高い輝度で光線が観察されると共に、主面の斜め方向から観察したときに点光源から斜め手前が高い輝度で光線が観察されるため、奥行きがあるような立体的視覚効果を得ることができる。
【００１０】
また、本発明のイルミネーション装置は、前記プリズム部又は前記レンチキュラーレンズ部の複数の稜線が、互いに平行であることを特徴とする。
【００１１】
また、本発明のイルミネーション装置は、前記プリズム部又は前記レンチキュラーレンズ部の中に、他の部分と反射特性が異なる反射変化部が形成されていることを特徴とする。
すなわち、このイルミネーション装置では、プリズム部又はレンチキュラーレンズ部の中に、他の部分と反射特性が異なる反射変化部が形成されているので、反射変化部を文字や記号、図形等の形状とすることで、その部分だけが他の部分と異なる光の反射となることで、その文字等を暗部又は明部として浮かび上がらせて表示することが可能である。
【００１２】
また、本発明のイルミネーション装置は、前記導光板に、互いに異なる方向に稜線が延在する２種類以上の前記プリズム部又は前記レンチキュラーレンズ部が形成されていることを特徴とする。
すなわち、このイルミネーション装置では、導光板に、互いに異なる方向に稜線が延在する２種類以上のプリズム部又はレンチキュラーレンズ部が形成されているので、一つの点光源からの光が２種類以上のプリズム部又はレンチキュラーレンズ部によって２方向以上に反射されて複数の光線となり、さらに視覚的効果が向上する。
【００１３】
また、本発明のイルミネーション装置は、前記導光板が、複数枚積層され、前記プリズム部又は前記レンチキュラーレンズ部が、前記導光板毎に互いに異なる方向に稜線が延在していることを特徴とする。
すなわち、このイルミネーション装置では、導光板が、複数枚積層され、プリズム部又はレンチキュラーレンズ部が、導光板毎に互いに異なる方向に稜線が延在しているので、一つの点光源からの光が２枚以上の導光板のプリズム部又はレンチキュラーレンズ部によって２方向以上に反射されて複数の光線となり、さらに視覚的効果が向上する。
【００１４】
また、本発明のイルミネーション装置は、前記点光源が、赤色ＬＥＤ素子、緑色ＬＥＤ素子及び青色ＬＥＤ素子の少なくとも一つを備えたＬＥＤであることを特徴とする。
すなわち、このイルミネーション装置では、点光源が、赤色ＬＥＤ素子、緑色ＬＥＤ素子及び青色ＬＥＤ素子の少なくとも一つを備えたＬＥＤであるので、多様なイルミネーション光が可能になる。特に、点光源を、赤色ＬＥＤ素子、緑色ＬＥＤ素子及び青色ＬＥＤ素子を備えたＲＧＢ−ＬＥＤとすることで、あらゆる色のイルミネーション光が可能になり、さらに多彩な視覚的効果を得ることができる。
【００１５】
本発明の電子機器は、上記本発明のイルミネーション装置を備えていることを特徴とする。
すなわち、この電子機器では、観察方向に応じて視覚的効果が異なる上記本発明のイルミネーション装置を備えているので、機器の使用者に対して多様な視覚的効果により良好な美観を起こさせることができる。
【発明の効果】
【００１６】
本発明によれば、以下の効果を奏する。
すなわち、本発明に係るイルミネーション装置によれば、導光板に、点光源からの光の入射方向に対して交差する方向に延在する複数の稜線を有するプリズム部又はレンチキュラーレンズ部が主面および該主面の反対面の少なくとも一方に形成されているので、観察方向に応じて主面で観察される光線の方向が異なり、異なる視覚効果を得ることができ、特に、奥行きがあるような立体的視覚効果などが得られる。
したがって、本発明のイルミネーション装置を備えた携帯電話機等の電子機器では、多様な視覚的効果で、高いデザイン性を得ることができると共に、機器の使用者に対して、より良好な美観を起こさせることができる。
【図面の簡単な説明】
【００１７】
【図１】本発明に係るイルミネーション装置及び電子機器の第１実施形態において、イルミネーション装置を示す断面図である。
【図２】第１実施形態において、点光源と導光板との位置関係を示す下面図である。
【図３】第１実施形態において、イルミネーション装置を作動させた際の電子機器を示す平面図である。
【図４】第１実施形態において、イルミネーション装置を作動させた際の電子機器を示す斜視図である。
【図５】本発明に係るイルミネーション装置及び電子機器の第２実施形態において、イルミネーション装置を示す断面図である。
【図６】第２実施形態において、点光源と導光板との位置関係を示す下面図である。
【図７】本発明に係るイルミネーション装置及び電子機器の第３実施形態において、イルミネーション装置を作動させた際の電子機器を示す平面図である。
【図８】第１実施形態において、イルミネーション装置を示す断面図である。
【図９】本発明に係るイルミネーション装置及び電子機器の実施例１において、導光板の正面から観察したイルミネーション装置を示す写真である。
【図１０】本発明に係るイルミネーション装置及び電子機器の実施例１において、導光板の斜めから観察したイルミネーション装置を示す写真である。
【図１１】本発明に係るイルミネーション装置及び電子機器の実施例２において、導光板の正面から観察したイルミネーション装置を示す写真である。
【図１２】本発明に係るイルミネーション装置及び電子機器の実施例２において、導光板の斜めから観察したイルミネーション装置を示す写真である。
【発明を実施するための形態】
【００１８】
以下、本発明に係るイルミネーション装置及び電子機器の第１実施形態を、図１から図４を参照して説明する。なお、以下の説明に用いる各図面では、各部材を認識可能な大きさとするために縮尺を適宜変更している。
【００１９】
本実施形態におけるイルミネーション装置１は、図１及び図２に示すように、光を所定の放射角で出射するＬＥＤ光源である複数の点光源２と、これら点光源２を光入射面である端面３ａに配し点光源２から入射され導光した光を光路変換して主面側から面状に出射する導光板３と、点光源２を実装したフレキシブルプリント基板４と、該フレキシブルプリント基板４と共に導光板３を支持するホルダー又は下部部材である支持部材５と、導光板３の主面を覆う透明又は半透明の樹脂等で形成されたフロントパネル６と、を備えている。
【００２０】
上記点光源２は、赤色ＬＥＤ素子、緑色ＬＥＤ素子及び青色ＬＥＤ素子を備えたＲＧＢ−ＬＥＤである。これら点光源２は、導光板３の両方の端面３ａに一対ずつ配置されて、全部で４つ設置されている。なお、点光源２として、赤色ＬＥＤ素子、緑色ＬＥＤ素子及び青色ＬＥＤ素子の少なくとも一つを備えたＬＥＤとしても構わない。例えば、赤色ＬＥＤ素子および緑色ＬＥＤの２つを備えたＬＥＤでもよい。
これら点光源２は、フレキシブルプリント基板４を介して制御部（図示略）に電気的に接続されて発光強度や発光色がコントロールされている。
【００２１】
上記導光板３は、例えば透光性の樹脂材料で構成されその両端面３ａから入射された点光源２からの光を導光すると共に光路変換してその主面から上方に向けてイルミネーション光を出射する薄板状又はシート状の薄型導光板である。
この導光板３には、点光源２からの光の入射方向に対して交差する方向に延在する互いに平行な複数の稜線を有するプリズム部３ｂが上記主面の反対面（下面）に形成されている。このプリズム部３ｂは、点光源２の光軸に対して直交する方向に稜線を延在させて形成している。なお、プリズム部３ｂの代わりに、点光源２からの光の入射方向に対して交差する方向に延在する互いに平行な複数の稜線を有するレンチキュラーレンズ部を上記主面の反対面に形成しても構わない。また、導光した光を上記主面側から出射可能であれば、プリズム部３ｂやレンチキュラーレンズ部を上記主面に形成したり、主面およびその反対面の両面に形成しても構わない。さらに、プリズム部３ｂの複数の稜線は、導光した光を上記主面側から出射可能であれば、互いに非平行に形成しても構わない。
【００２２】
また、本実施形態のイルミネーション装置１を備えた電子機器は、図３及び図４に示すように、折り畳み型の携帯電話機（電子機器）１０であって、携帯電話機１０の筐体１１の外側に設けられた窓部内にイルミネーション装置１が設置されている。
【００２３】
このように本実施形態のイルミネーション装置１では、導光板３に、点光源２からの光の入射方向に対して交差する方向に延在する複数の稜線を有するプリズム部３ｂが主面の反対面に形成されているので、点光源２から導光板３に入射される光がプリズム部３ｂで反射されて主面から出射されるが、その出射方向が、点光源２からの光の放射方向若しくは導光方向に応じて異なる。
【００２４】
このため、図３及び図４に示すように、導光板３の主面に対して観察方向が異なると、この観察方向へ反射される光が一定の放射方向の光だけであるため、観察者からは主面上に一定の放射方向に延在する光線Ｌのみが見えることになる。したがって、観察方向に応じて主面で観察される光線Ｌの方向が異なり、観察方向を変えると、異なる視覚効果を得ることができる。特に、図３に示すように、主面の正面方向から観察したときに点光源２の正面が高い輝度で光線Ｌが観察されると共に、図４に示すように、主面の斜め方向から観察したときに点光源２から斜め手前が高い輝度で光線Ｌが観察されるため、奥行きがあるような立体的視覚効果を得ることができる。
【００２５】
また、点光源２が、赤色ＬＥＤ素子、緑色ＬＥＤ素子及び青色ＬＥＤ素子の少なくとも一つを備えたＬＥＤであるので、多様なイルミネーション光が可能になる。特に、点光源を、赤色ＬＥＤ素子、緑色ＬＥＤ素子及び青色ＬＥＤ素子を備えたＲＧＢ−ＬＥＤとすることで、あらゆる色のイルミネーション光が可能になり、さらに多彩な視覚的効果を得ることができる。
したがって、このイルミネーション装置１を備えた携帯電話機１０では、機器の使用者に対して多様な視覚的効果により良好な美観を起こさせることができる。
【００２６】
次に、本発明に係るイルミネーション装置及び電子機器の第２及び第３実施形態について、図５から図８を参照して以下に説明する。なお、以下の各実施形態の説明において、上記実施形態において説明した同一の構成要素には同一の符号を付し、その説明は省略する。
【００２７】
第２実施形態と第１実施形態との異なる点は、第１実施形態では、導光板３のプリズム部３ｂが主面の反対面に全面形成されているのに対し、第２実施形態のイルミネーション装置２１は、図５から図７に示すように、プリズム部２３ｂ，２３ｃの中に、他の部分と反射特性が異なる反射変化部２３ｄが形成されている点である。
また、第２実施形態では、導光板２３に、互いに異なる方向に稜線が延在する２種類のプリズム部２３ｂ，２３ｃが形成されている点でも第１実施形態と異なっている。
【００２８】
すなわち、第２実施形態のイルミネーション装置２１は、反射変化部２３ｄとして、プリズム部２３ｂ，２３ｃの中に、プリズムが形成されていない平坦な部分を文字や記号、図形等の形状に形成している。なお、この反射変化部２３ｄは、プリズムの有無だけでなく、プリズムの角度調整等によって反射方向を変えることで反射特性を変えて形成しても構わない。
【００２９】
また、２種類のプリズム部２３ｂ，２３ｃは、互いに稜線が直交するプリズムで形成され、プリズム部２３ｂの稜線は、点光源２の光軸に対して４５°傾斜して形成されていると共に、プリズム部２３ｃの稜線は、点光源２の光軸に対して１３５°傾斜して形成されている。すなわち、プリズム部２３ｂ，２３ｃは、格子状に形成されている。このため、点光源２から出射されて導光される光は、２つのプリズム部２３ｂ，２３ｃによって２方向に分かれて反射される。
【００３０】
このように第２実施形態のイルミネーション装置２１では、プリズム部２３ｂ，２３ｃの中に、他の部分と反射特性が異なる反射変化部２３ｄが形成されているので、反射変化部２３ｄを文字や記号、図形等の形状とすることで、その部分だけが他の部分と異なる光の反射となることで、その文字等を暗部又は明部として浮かび上がらせて表示することが可能である。なお、平坦部とされた反射変化部２３ｄでは、暗部となって表示される。
また、導光板２３に、互いに異なる方向に稜線が延在する２種類のプリズム部２３ｂ，２３ｃが形成されているので、一つの点光源２からの光が２種類のプリズム部２３ｂ，２３ｃによって２方向に反射されて２つの光線Ｌとなり、さらに視覚的効果が向上する。
【００３１】
次に、第３実施形態と第２実施形態との異なる点は、第２実施形態では、導光板２３に、互いに異なる方向に稜線が延在する２種類のプリズム部２３ｂ，２３ｃが形成されているが、第３実施形態のイルミネーション装置３１では、図８に示すように、導光板３３Ａ，３３Ｂが、２枚積層され、記プリズム部３ｂが、導光板３３Ａ．３３Ｂ毎に互いに異なる方向に稜線が延在している点である。
【００３２】
すなわち、第３実施形態では、上下２つの導光板３３Ａ，３３Ｂにおけるプリズム部３３ｂ，３３ｃが、互いに稜線が直交するプリズムで形成され、プリズム部３３ｂの稜線は、点光源２の光軸に対して平行に形成されていると共に、プリズム部３３ｃの稜線は、点光源２の光軸に対して平面視で直交して形成されている。
【００３３】
このため、点光源２から出射されて導光される光は、下方の導光板３３Ａのプリズム部３３ｂによって一方向に反射されて主面から出射されると共に、上方の導光板３３Ｂのプリズム部３３ｃによって一部が他の方向に反射される。すなわち、上方の導光板３３Ｂの主面からは、１つの点光源２からの光が２つの異なる方向へ反射された光線Ｌとして出射される。なお、プリズム部３３ｂ，３３ｃのいずれにも同じ部分に反射変化部３３ｄが形成されている。
【００３４】
このように第３実施形態のイルミネーション装置３１では、２枚の導光板３３Ａ，３３Ｂが積層され、プリズム部３３ｂ，３３ｃが、導光板３３Ａ，３３Ｂ毎に互いに異なる方向に稜線が延在しているので、一つの点光源２からの光が２枚の導光板３３Ａ，３３Ｂのプリズム部３３ｂ，３３ｃによって２方向に反射されて複数の光線Ｌとなり、さらに視覚的効果が向上する。
【実施例１】
【００３５】
次に、上記実施形態のイルミネーション装置を実際に作製した実施例について、図９から図１２を参照して説明する。
【００３６】
まず、実施例１として、第１実施形態のイルミネーション装置を作製し、点光源を駆動して光らせた際に、導光板の正面から観察したイルミネーション装置を示す写真を、図９に示す。このように正面からイルミネーション装置を見た場合には、導光板の主面には、両端面から導光板の延在方向に対して平行な４本の光線が観察される。
【００３７】
これに対して、導光板の斜めから観察した実施例１のイルミネーション装置を示す写真を、図１０に示す。このように斜めからイルミネーション装置を見た場合には、導光板の主面には、両端面から導光板の延在方向に対して斜め方向への４本の光線が観察される。
また、主面の正面方向から観察したときに点光源の正面が高い輝度で光線が観察されると共に、主面の斜め方向から観察したときに点光源から斜め手前が高い輝度で光線が観察される。
【００３８】
また、実施例２として、第２実施形態のイルミネーション装置を作製し、点光源を駆動して光らせた際に、導光板の正面から観察したイルミネーション装置を示す写真を、図１１に示す。このように正面からイルミネーション装置を見た場合には、導光板の主面には、両端面から導光板の延在方向に対して斜め方向への４本の光線が観察される。
【００３９】
これに対して、導光板の斜めから観察したイルミネーション装置を示す写真を、図１２に示す。このように斜めからイルミネーション装置を見た場合には、導光板の主面には、両端面から導光板の延在方向に対して斜め方向へ上記正面から見た場合と異なる４本の光線が観察される。
【００４０】
また、実施例２でも、実施例１と同様に、主面の正面方向から観察したときに点光源の正面が高い輝度で光線が観察されると共に、主面の斜め方向から観察したときに点光源から斜め手前が高い輝度で光線が観察される。
このように、実施例１及び２のいずれも、正面から観察した場合と斜め方向から観察した場合とで、異なる方向への光線が観察され、異なる視覚的効果が得られていると共に、奥行きがあるような立体的視覚効果を得ることができる。
【００４１】
なお、本発明は上記各実施形態に限定されるものではなく、本発明の趣旨を逸脱しない範囲において種々の変更を加えることができる。
【００４２】
例えば、上記各実施形態では、イルミネーション装置を携帯電話機の筐体の外側に向けて設けているが、内側等の別の箇所に設けても構わない。
さらに、上記各実施形態では、本発明のイルミネーション装置を折り畳み型の携帯電話機に設けているが、他の形式の携帯電話機に搭載しても構わない。例えば、いわゆるキャンディーバータイプ（ストレート型）の携帯電話機やスライドタイプの携帯電話機の背面等に本発明のイルミネーション装置を搭載しても良い。
【００４３】
また、点光源としてＬＥＤ光源を採用することが好ましいが、蛍光ランプ等の他の光源を採用しても構わない。
さらに、点光源として、上述したように異なる発光色のＬＥＤ素子を複数有するＬＥＤ，特にＲＧＢ−ＬＥＤが好ましいが、単色発光のＬＥＤや白色光のＬＥＤを採用しても構わない。
また、本発明のイルミネーション装置を携帯電話機に搭載したが、ＰＤＡ、ノート型パーソナルコンピュータ（ノートＰＣ）や電子辞書等の他の電子機器に採用しても構わない。さらに、本発明のイルミネーション装置を、壁掛けディスプレイや看板等の単体で使用しても構わない。
【符号の説明】
【００４４】
１，２１，３１…イルミネーション装置、２…点光源、３、２３，３３Ａ，３３Ｂ…導光板、３ａ…導光板の端面、３ｂ，２３ｂ，２３ｃ，３３ｂ，３３ｃ…プリズム部、１０…携帯電話機（電子機器）、２３ｄ，３３ｄ…反射変化部
【図１】
2011113695.tif 000003
【図２】
2011113695.tif 000004
【図３】
2011113695.tif 000005
【図４】
2011113695.tif 000006
【図５】
2011113695.tif 000007
【図６】
2011113695.tif 000008
【図７】
2011113695.tif 000009
【図８】
2011113695.tif 000010
【図９】
2011113695.tif 000011
【図１０】
2011113695.tif 000012
【図１１】
2011113695.tif 000013
【図１２】
2011113695.tif 000014